(57)【要約】【課題】  トリミング機構によって包装フィルムの余剰部分である耳部箇所を良好に取り除くとともに、吸引機構によって耳部を回収する際に騒音を極力低減することのできる充填包装機における包装フィルムのトリミング処理装置およびそのトリミング処理方法を提供するものである。【解決手段】  充填包装機における包装フィルムのトリミング処理装置であって、縦シール機構５によってヒートシールされた縦シール部ＦＨによる切り屑となる耳部ＦＥをカットするトリミング刃１１Ａを備えたトリミング機構１１と、このトリミング機構１１の下流側にて切り屑となる耳部ＦＥを吸引して回収する吸い込み口１２Ａを備えた吸引機構１２と、充填包装機の起動時あるいは再起動時において吸引機構１２による吸引力を高めに設定し、その後に吸引力を弱めるように設定する制御部１３とを備えてなること。【選択図】  図２
2005075397.tif 000002
【特許請求の範囲】
【請求項１】
連続移送される包装フィルムの長手方向に沿って縦シールして筒状に形成する縦シール機構と、この筒状に形成された包装フィルム内に被包装物を充填する充填機構と、筒状に形成された包装フィルムの幅方向に沿って所定の間隔にて横シールすることによって包装袋を連続包装する横シール機構と、前記縦シール機構によってヒートシールされた縦シール部による切り屑となる耳部をカットするトリミング刃を備えたトリミング機構と、このトリミング機構の下流側にて前記切り屑となる耳部を吸引して回収する吸い込み口を備えた吸引機構と、前記充填包装機の起動時あるいは再起動時において前記吸引機構による吸引力を高めに設定し、その後に吸引力を弱めるように設定する制御部と、からなることを特徴とする充填包装機における包装フィルムのトリミング処理装置。
【請求項２】
前記制御部は、前記充填包装機の起動時あるいは再起動時において初期の吸引力を高めに設定し、所定の時間経過後に吸引力を弱めるように設定してなることを特徴とする請求項１に記載の充填包装機における包装フィルムのトリミング処理装置。
【請求項３】
前記制御部は、前記充填包装機の起動時あるいは再起動時において初期の吸引力を高めに設定し、前記包装フィルムの繰り出し量が所定の長さに達した時点にて吸引力を弱めるように設定してなることを特徴とする請求項１に記載の充填包装機における包装フィルムのトリミング処理装置。
【請求項４】
前記制御部は、前記充填包装機の起動時あるいは再起動時において初期の吸引力を高めに設定し、前記包装フィルムの切り屑となる耳部位置が前記吸い込み口を備えた吸引機構に達したことを検知した後に吸引力を弱めるように設定してなることを特徴とする請求項１に記載の充填包装機における包装フィルムのトリミング処理装置。
【請求項５】
連続移送される包装フィルムを縦シール機構によりフィルムの長手方向に沿って縦シールして包装フィルムを筒状に形成する工程と、この筒状に形成された包装フィルム内に充填機構を介して被包装物を充填する工程と、筒状に形成され、前記被包装物が充填された包装フィルムの幅方向に沿って横シール機構を介して所定の間隔にて横シールして包装袋を連続包装してなる工程と、前記縦シール機構によってヒートシールされた縦シール部による切り屑となる耳部をトリミング刃を備えたトリミング機構によってカットする工程と、前記トリミング機構の下流側にて前記切り屑となる耳部を吸い込み口を備えた吸引機構によって吸引して回収する工程と、制御部を介して前記充填包装機の起動時あるいは再起動時において前記吸引機構による吸引力を高めに設定し、その後に吸引力を弱めるように設定してなる工程と、からなることを特徴とする充填包装機における包装フィルムのトリミング処理方法。
【請求項６】
前記制御部は、前記充填包装機の起動時あるいは再起動時において初期の吸引力を高めに設定し、所定の時間経過後に吸引力を弱めるように設定してなることを特徴とする請求項５に記載の充填包装機における包装フィルムのトリミング処理方法。
【請求項７】
前記制御部は、前記充填包装機の起動時あるいは再起動時において初期の吸引力を高めに設定し、前記包装フィルムの繰り出し量が所定の長さに達した時点にて吸引力を弱めるように設定してなることを特徴とする請求項５に記載の充填包装機における包装フィルムのトリミング処理方法。
【請求項８】
前記制御部は、前記充填包装機の起動時あるいは再起動時において初期の吸引力を高めに設定し、前記包装フィルムの切り屑となる耳部位置が前記吸い込み口を備えた吸引機構に達したことを検知した後に吸引力を弱めるように設定してなることを特徴とする請求項５に記載の充填包装機における包装フィルムのトリミング処理方法。
【発明の詳細な説明】
【技術分野】
【０００１】
本発明は、連続移送される包装フィルムを縦横に三方シールあるいは四方シールすることによって、液体や粉体あるいは粘稠物質などの被包装物を密封シールするようにした充填包装機に関し、特に充填包装機の縦シール機構によってヒートシールされた縦シール部の不要箇所である耳部（切り屑）などを取り除く充填包装機における包装フィルムのトリミング処理装置およびトリミング処理方法に関するものである。
【背景技術】
【０００２】
従来より、たとえば液体や粉体あるいは粘稠物質などの被包装物を充填して密封シール包装袋としては、一般的に合成樹脂製のフィルムあるいはこれとアルミニウム箔などとを接合した積層物などの包装材料からなる包装フィルムを、縦横に三方シールあるいは四方シールすることによって包装袋を形成している。
【０００３】
従って、このような包装袋を得るために三方シールあるいは四方シールシールして包装する充填包装機としては、ロール状に巻かれたロールフィルムからフィルムが引き出し案内され、折返し機構によって二つ折りに折り返されたフィルムが縦シール機構のシール刃によって縦シールされ、次いで横シール機構の横シール刃により横シールが施されて袋状（包装袋の底部が形成された状態）となり、この袋状となった包装フィルム内に充填機構によって内容物が充填され、続いて前記横シール機構により袋口側が横シールされて小袋状の包装袋が形成された後、その包装袋を繋いだままで連続した状態にて送り出したり、あるいはカッター機構によって切断することによって一つずつに分離された包装袋を個々に搬出するようにしている。
【０００４】
ところで、前述した従来の充填包装機にあっては、縦シール機構や横シール機構により包装フィルムをヒートシールしつつ送り出しているが、ロール状に巻かれたロールフィルムの巻きムラやロールフィルムから引き出されたフィルムの張力変動などによって包装フィルムが偏って送られることがあり、このためフィルム折返し部による折返し位置が偏ったまま送られてしまうと、折り返された包装フィルムの端部同士を縦シール機構によってヒートシールした際、縦シール位置が所定の位置より変動してしまい、縦シール部によるフィルムの側縁のシール間隔がばらついたり、フィルムの端部同士が不揃いとなってしまう結果となったり、あるいは筒状に包装シールされた縦シール部箇所の端部に余剰部分が発生してしまうことがあるため、その縦シール部の耳部を取り除くことによって包装形態を良好に保つようにした包装装置が知られている。（たとえば、特許文献１を参照。）
【特許文献１】特開平３−１４４０８号公報
【発明の開示】
【発明が解決しようとする課題】
【０００５】
この場合、包装フィルムの端部である余分な部分、すなわち縦シール部箇所の耳部の箇所を耳カッタ（円板状カッタ）によって分離するようにしている。このため、分離された切り屑である包装フィルムの耳部は、時として製品である包装袋に静電気の作用によって付着してしまうことがあり、これにより切り屑となる耳部を取り除く作業に手間取ってしまうことがある。
【０００６】
この点を考慮するものとして、本願出願人は切り屑となる耳部を吸引機構によって吸い取る機構を提案している。（以下の特許文献２を参照。）
【特許文献２】特開２００１−２４０００８号公報
【０００７】
このような特許文献２による充填包装機においては、包装フィルムの縦シール箇所に存在する余分な耳部となる箇所をトリミング機構（トリミング刃）によって裁断し、この裁断された切り屑となる耳部を吸引して回収する吸い込み口を備えた吸引機構にて吸い込むことによってゴミなどの発生を防ぐことができると同時に、前述した問題点であった静電気による包装袋への付着なども無くなるという効果が得られた。
【０００８】
しかしながら、トリミング機構によって分離される余剰部分（耳部）は、常時吸い寄せられながら回収されるため、ゴミの発生を防ぐことができるものの、吸引機構による騒音の問題が残されている。
【０００９】
そこで本発明は、従来の問題点に着目し、トリミング機構によって包装フィルムの余剰部分である耳部箇所を良好に取り除くとともに、吸引機構によって耳部を回収する際に騒音を極力低減することのできる充填包装機における包装フィルムのトリミング処理装置およびそのトリミング処理方法を提供するものである。
【課題を解決するための手段】
【００１０】
本発明は、前記課題を解決するため、請求項１に記載の通り、連続移送される包装フィルムの長手方向に沿って縦シールして筒状に形成する縦シール機構と、この筒状に形成された包装フィルム内に被包装物を充填する充填機構と、筒状に形成された包装フィルムの幅方向に沿って所定の間隔にて横シールすることによって包装袋を連続包装する横シール機構と、前記縦シール機構によってヒートシールされた縦シール部による切り屑となる耳部をカットするトリミング刃を備えたトリミング機構と、このトリミング機構の下流側にて前記切り屑となる耳部を吸引して回収する吸い込み口を備えた吸引機構と、前記充填包装機の起動時あるいは再起動時において前記吸引機構による吸引力を高めに設定し、その後に吸引力を弱めるように設定する制御部と、からなることを特徴とする充填包装機における包装フィルムのトリミング処理装置である。
【００１１】
また請求項２では、請求項１に記載の充填包装機における包装フィルムのトリミング処理装置において、前記制御部は、前記充填包装機の起動時あるいは再起動時において初期の吸引力を高めに設定し、所定の時間経過後に吸引力を弱めるように設定してなることを特徴とするものである。
【００１２】
また請求項３では、請求項１に記載の充填包装機における包装フィルムのトリミング処理装置において、前記制御部は、前記充填包装機の起動時あるいは再起動時において初期の吸引力を高めに設定し、前記包装フィルムの繰り出し量が所定の長さに達した時点にて吸引力を弱めるように設定してなることを特徴とするものである。
【００１３】
また請求項４では、請求項１に記載の充填包装機における包装フィルムのトリミング処理装置において、前記制御部は、前記充填包装機の起動時あるいは再起動時において初期の吸引力を高めに設定し、前記包装フィルムの切り屑となる耳部位置が前記吸い込み口を備えた吸引機構に達したことを検知した後に吸引力を弱めるように設定してなることを特徴とするものである。
【００１４】
また本発明は、前記課題を解決するため、請求項５に記載の通り、連続移送される包装フィルムを縦シール機構によりフィルムの長手方向に沿って縦シールして包装フィルムを筒状に形成する工程と、この筒状に形成された包装フィルム内に充填機構を介して被包装物を充填する工程と、筒状に形成され、前記被包装物が充填された包装フィルムの幅方向に沿って横シール機構を介して所定の間隔にて横シールして包装袋を連続包装してなる工程と、前記縦シール機構によってヒートシールされた縦シール部による切り屑となる耳部をトリミング刃を備えたトリミング機構によってカットする工程と、前記トリミング機構の下流側にて前記切り屑となる耳部を吸い込み口を備えた吸引機構によって吸引して回収する工程と、制御部を介して前記充填包装機の起動時あるいは再起動時において前記吸引機構による吸引力を高めに設定し、その後に吸引力を弱めるように設定してなる工程と、からなることを特徴とする充填包装機における包装フィルムのトリミング処理方法である。
【００１５】
また請求項６では、請求項５に記載の充填包装機における包装フィルムのトリミング処理方法において、前記制御部は、前記充填包装機の起動時あるいは再起動時において初期の吸引力を高めに設定し、所定の時間経過後に吸引力を弱めるように設定してなることを特徴とするものである。
【００１６】
また請求項７では、請求項５に記載の充填包装機における包装フィルムのトリミング処理方法において、前記制御部は、前記充填包装機の起動時あるいは再起動時において初期の吸引力を高めに設定し、前記包装フィルムの繰り出し量が所定の長さに達した時点にて吸引力を弱めるように設定してなることを特徴とするものである。
【００１７】
また請求項８では、請求項５に記載の充填包装機における包装フィルムのトリミング処理方法において、前記制御部は、前記充填包装機の起動時あるいは再起動時において初期の吸引力を高めに設定し、前記包装フィルムの切り屑となる耳部位置が前記吸い込み口を備えた吸引機構に達したことを検知した後に吸引力を弱めるように設定してなることを特徴とするものである。
【発明の効果】
【００１８】
本発明による充填包装機における包装フィルムのトリミング処理装置および包装フィルムのトリミング処理方法においては、トリミング刃を備えたトリミング機構によって連続移送される包装袋の縦シール部による切り屑となる耳部が良好に裁断（カット）されるとともに、そのカットされた耳部が吸い込み口を備えた吸引機構を介して吸引されて回収される。その際、制御部を介して充填包装機の起動時あるいは再起動時において吸引機構による吸引力を高め、その後に吸引力を弱めるように設定してなることにより、充填包装機の初期の作動時にトリミング機構によって切り屑となる耳部が裁断されながら吸引機構の吸い込み口から負圧を高めた状態にて吸い込まれる。その後、次々と帯状にカットされた切り屑となる耳部は吸引機構の吸い込み口から吸い込まれて回収されるが、一旦吸い込み口へと吸い込み導入された帯状の切り屑となる耳部は、吸引力が弱められたとしても吸い込み口を介して案内されながら良好に吸引される。この結果、初期の段階においては吸引機構によって切り屑の端部が良好に吸い寄せられ、また吸い込み口から連続的に負圧が高められた状態にて送り込まなくとも、耳部が吸い込み案内された後においては弱い負圧力（吸引力）にて簡単に吸い込み案内されるものであり、吸い込みによる騒音も抑えられるものとなり、しかも省電力化も可能となるものであり、これにより所期の目的を十分達成することができる。
【発明を実施するための最良の形態】
【００１９】
以下、本発明の実施形態を添付図面を参照にして説明する。本発明に係る第１実施形態における充填包装機の概略構成とその動作については、図１から図４を参照して述べる。
【００２０】
同図において、充填包装機の全体概要の構成として、１はその充填包装機の機台であって、その機台１の側方には保持枠２が設けられ、この保持枠２に包装フィルムＦを巻回したフィルム巻反Ｒが着脱交換可能に設けられている。
【００２１】
またフィルム巻反Ｒから引き出し案内される包装フィルムＦは、フィルム案内機構３を介して所定のテンションが付与されて一旦上方へと引き出し案内され、機台１の上部に設けたフィルム折返し機構４により包装フィルムＦの長手方向に沿って二つ折りに折り返されて下方へ引き出し案内されるように構成されている。
【００２２】
この実施例では、この下方へ引き出し搬送される二つ折りに折り返されたフィルムＦに縦シール機構５の一対の縦ヒートシールロール５Ａにより、縦方向に各々折返し縁部と中間部と折返し端部同志（左右両縁部と中間部）とが縦ヒートシールされて縦シール部ＦＨが形成され、次いで前記縦シール機構５の下方に配設された横シール機構６によって横ヒートシールされて横シール部ＦＳが形成される。
【００２３】
この場合、横シール機構６の一対の横ヒートシールロール６Ａにより横方向に所定間隔を置いて横ヒートシールされて横シール部ＦＳが形成され、この横シール部ＦＳ箇所により先ず左右並設状態に二つの包装袋となる有底筒状の底部が形成され、これにより有底筒状に形成された包装フィルムＦ内に充填機構７のそれぞれの充填ノズル部７Ａ，７Ｂから被包装物Ｗが充填され、続いて包装フィルムＦを送り出した後に横シール機構６の横ヒートシールロール６Ａにより包装フィルムＦの袋口部となる箇所を横ヒートシールし、この横ヒートシールによる横シール部ＦＳと前記縦シール部ＦＨとによって包装フィルムＦの四方がヒートシールされて被包装物Ｗが封止される。このようにして被包装物Ｗが充填されて四方がヒートシールされた包装袋Ｐは、次々と連続して繋がった連包状態で包装袋Ｐが下方へと連続搬送されるように構成されている。
【００２４】
またこの第１実施形態における充填包装機では、横シール機構６の下方に開封用ノッチＮを形成するためのノッチ形成機構８が配設され、さらにこの下方側に位置して左右並設状態（横２列）の包装袋Ｐの中央の縦シール部ＦＨ部分を切り離すためのカッタ刃を備えたスリッタ機構９が配設され、さらにこの下方には、上下に繋がっている連包状態の包装袋Ｐの横シール部ＦＳのほぼ中央部を切り離して搬出するカッタ刃を備えた切断機構１０が配設されている。
【００２５】
また前記ノッチ形成機構８は、左右並設状態の包装袋Ｐの両端側に位置してそれぞれ設けられ、それぞれのノッチ形成機構８には、図２に示すように両端側に設けられた各縦シール部ＦＨ部分に開封用のノッチＮを入れるための切り込み刃８Ａが設けられ、連続移送される包装袋Ｐの両端側の縦シール部ＦＨの所定の箇所に、包装袋Ｐの縦シール部ＦＨの奥行き方向に向けて切り込みからなる開封用ノッチＮが形成される。
【００２６】
また、横シール機構６とノッチ形成機構８との間に位置し、二つ折りに折り返された包装フィルムＦの折返し両端縁部分に施された縦シール部ＦＨ箇所に、連続移送される包装袋Ｐの縦シール部ＦＨによる切り屑となる耳部ＦＥをカットするトリミング刃１１Ａを備えたトリミング機構１１が設けられている。
【００２７】
また、トリミング機構１１の下流側には、切り屑となる耳部ＦＥを吸引して回収するための吸い込み口１２Ａを備えた吸引機構１２が設けられ、この吸引機構１２と隣接する下流側には、前述したように連続移送される包装袋Ｐの縦シール部ＦＨ箇所に切り込みからなる開封用ノッチＮを形成するためのノッチ形成機構９が配置されている。
【００２８】
また、充填包装機の起動時あるいは再起動時において吸引機構１２による吸引力を高めに設定し、その後に吸引力を弱めるように設定する制御部１３が設けられている。この場合、第１実施形態における制御部１３にはタイマー機構１３Ａが備えられ、充填包装機の起動時あるいは再起動時に吸引機構１２による吸引力が高めに設定され、充填包装機の初期の作動時にトリミング機構１１によって切り屑となる耳部ＦＥが裁断されながら吸引機構１２の吸い込み口１２Ａから負圧を高めた状態にて吸い込まれるように設けられるとともに、制御部１３のタイマー機構１３Ａによって、充填包装機の起動時あるいは再起動時から所定の時間ｔ１経過後に吸引機構１２による吸引力を弱めるように設定している。
【００２９】
上記構成からなる本発明の充填包装機においては、従来の充填包装機とほぼ同様にしてフィルム巻反Ｒから引き出し案内されたフィルムＦは、フィルム案内機構３を介して所定のテンションが付与されて一旦上方へ引き出し案内され、次いで機台１の上部側に配設したフィルム折返し機構４の折返しガイド４ＡによりフィルムＦの長手方向に沿って二つ折りに折り返されて下方へ引き出し案内され、この下方へ引き出し搬送される二つ折りフィルムＦに縦シール機構５の一対の縦ヒートシールロール５Ａにより、縦方向に各々折返し縁部と中間部と折返し端部同志とがそれぞれ縦ヒートシールされて縦シール部ＦＨが形成され、次いで縦シール機構５の下方に配設された横シール機構６によってヒートシールすることによって横シール部ＦＳが形成され、これにより左右並設状態に四方シールされた二つの包装袋Ｐが製袋される。
【００３０】
この際、たとえば二つ折りに折り返された包装フィルムＦの端縁部分同士が若干不揃いになってしまったとしても、トリミング機構１１に設けられたトリミング刃１１Ａによって、不揃いとなって縦シール部ＦＨの不要箇所となった耳部ＦＥ箇所が包装フィルムＦの長手方向に沿って分離されて送り出され、連続移送される包装フィルムＦの流れに合わせて切り屑である耳部ＦＥが吸引機構１２の吸いこみ口１２Ａによって吸引されながら回収され、これにより、次の工程によって形成される包装袋Ｐに切り取られた耳部ＦＥが付着することもなく良品の包装袋Ｐが連続して生産される。
【００３１】
また、第１実施形態における充填包装機にあっては、充填包装機の起動時あるいは再起動時に充填包装機の操作パネルに設けられているスイッチの起動操作によって起動信号が入力されると、縦シール機構５や横シール機構６あるいは充填機構７などの各種機構がそれぞれ作動するとともに、制御部１３を介して吸引機構１２も作動するが、制御部１３のタイマー機構１３Ａによって、充填包装機の起動時あるいは再起動時から所定の時間ｔ１経過後に吸引機構１２による吸引力を弱めるように設定されているため、充填包装機の初期の作動時にトリミング機構１１によって切り屑となる耳部ＦＥが裁断されながら吸引機構１２の吸い込み口１２Ａから負圧を高めた状態にて吸い込まれる。その後、次々と帯状にカットされた切り屑となる耳部ＦＥは吸引機構１２の吸い込み口１２Ａから吸い込まれて回収されるが、一旦吸い込み口１２Ａへと吸い込み導入された帯状の切り屑となる耳部ＦＥは、吸引力が弱められたとしても吸い込み口１２Ａを介して案内されながら良好に吸引される。この結果、初期の段階においては吸引機構１２によって切り屑である耳部ＦＥが良好に吸い寄せられ、また吸い込み口１２Ａから連続的に負圧が高められた状態にて送り込まなくとも、耳部ＦＥが吸い込み案内された後においては弱い負圧力（吸引力）にて簡単に吸い込み案内されるものであり、これにより吸い込みによる騒音も抑えられるものとなり、しかも省電力化も可能となる。
【００３２】
また、吸引機構１２と隣接する下流側に、連続移送される包装袋Ｐの縦シール部ＦＨの奥行き方向に向けて切り込みからなる開封用ノッチＮを形成するノッチ形成機構８を設けてなることによって、たとえば充填包装機の機械の停止後において、新たに包装フィルムＦを縦横シール機構５，６へと繰り出してセットした後、充填包装機を稼動する際に、前記ノッチ形成機構８によって縦シール部ＦＨの切り屑となる耳部ＦＥを事前に切断することができるため、その切断された切れ端部分から吸引機構１２の吸いこみ口１２Ａへと送り込むことが可能となり、縦シール部ＦＨの耳部ＦＥを取り除きながら回収することができる。
【００３３】
また、ノッチ機構８の下流側にて横シール機構６によってシールされた横シール部ＦＳのほぼ中央を切断するカッター機構１０を設けてなることにより、縦シール部ＦＨの切り屑となる耳部ＦＥとは別個にして、連続包装された包装袋Ｐをそれぞれ単一の小袋として分離して搬出することができるものであり、場合によってはカッター機構１０を作動することなく連続した包装袋Ｐとして搬出するように切り換えることも可能としている。
【００３４】
なお、本発明は上述した実施形態に限定されるものでなく本発明の要旨の範囲において種々の変形実施が可能であり、前述した第１実施形態による充填包装機における包装フィルムのトリミング処理装置およびトリミング処理方法では、一枚の包装フィルムＦを半折り状態に引き出し案内し、この半折りに折り返された折返し端部と折り返されたフィルムＦの中央部および折返し端縁（左右両縁部と中間部）とが対をなす縦シール機構５の三つの縦ヒートシールロール５Ａにより縦方向に縦ヒートシールして二列に筒状に製袋された包装袋Ｐを成形するタイプを例にして、制御部１３を介して充填包装機の起動時あるいは再起動時において吸引機構１２による吸引力を高め、その後に吸引力を弱めるように設定する手段として、制御部１３に設けたタイマー機構１３Ａによって、充填包装機の起動時あるいは再起動時から所定の時間ｔ１経過後に吸引機構１２による吸引力を弱めるように設定した例を述べたが、図５と図６に示すように、第２実施形態の充填包装機における包装フィルムのトリミング処理装置およびトリミング処理方法では、一枚の包装フィルムＦを半折り状態に引き出し案内し、この半折りに折り返された包装フィルムＦの折返し端部と、折り返された包装フィルムＦの端縁（左右両端部）を二つの縦ヒートシールロールによってヒートシールし、次いで横シール機構によって包装フィルムＦの縦横を四方シールして包装袋Ｐを成形するタイプの充填包装機において、制御部１３を介して充填包装機の起動時あるいは再起動時において吸引機構１２による吸引力を高め、その後に吸引力を弱めるように設定する手段として、充填包装機の起動時あるいは再起動時において初期の吸引力を高めに設定し、包装フィルムＦの繰り出し量が所定の長さに達した時点にて吸引力を弱めるように設定しても良いものであり、たとえば図示はしないが、フィルム案内機構３に設けられた供給ローラや搬出ローラの回転数あるいはフィルム案内機構３を回転駆動するモータの回転数などをカウントして包装フィルムＦの繰り出し量として換算するカウンタ機構１３Ｂを備えた制御部１３を設けてなることにより、この制御部１３のカウンタ機構１３Ｂによって包装フィルムＦの繰り出し量として検出して、所定の包装フィルムＦの長さに達した時点において吸引機構１２による吸引力を弱めてなることにより、前述した第１実施形態と同様にして充填包装機の初期の作動時にトリミング機構１１によって切り屑となる耳部ＦＥが裁断されながら吸引機構１２の吸い込み口１２Ａから負圧を高めた状態にて吸い込まれ、その後、次々と帯状にカットされた切り屑となる耳部ＦＥは吸引機構１２の吸い込み口１２Ａから吸い込まれて回収されるが、一旦吸い込み口１２Ａへと吸い込み導入された帯状の切り屑となる耳部ＦＥは、吸引力が弱められたとしても吸い込み口１２Ａを介して弱い負圧力にて簡単に吸い込み案内されながら良好に吸引されるものであり、これにより吸い込みによる騒音も抑えられ、しかも省電力化も可能となる。
【００３５】
また、図７に示すように包装フィルムＦを三方シールして包装袋Ｐを成形するもの、図８で示すように二枚からなるフィルムＦを重ね合わせて引き出し案内し、この各包装フィルムＦの両端縁を二つの縦ヒートシールロールによって縦方向にヒートシールしつつ包装フィルムＦの四方をヒートシールして包装袋Ｐを成形するもの、あるいは図示はしないが縦シール機構に縦ヒートシールロールを多数設け、この縦ヒートシールロールと横シール機構によって四方シールされた横列単位で多数の包装袋を成形するものなどにおいて、それぞれ得られる包装袋Ｐの製作過程において包装袋Ｐに形成された縦シール部ＦＨの余剰部分となる耳部ＦＥ箇所をカットし回収する機構を、本発明の充填包装機の機械装置に合わせて装備することにより、同様の効果を得ることができる。
【００３６】
たとえば図７と図８に示す充填包装機において、図９に示すように、第３実施形態の充填包装機における包装フィルムのトリミング処理装置およびトリミング処理方法として、制御部１３を介して充填包装機の起動時あるいは再起動時において吸引機構１２による吸引力を高め、その後に吸引力を弱めるように設定する手段として、制御部１３は、充填包装機の起動時あるいは再起動時において初期の吸引力を高めに設定し、包装フィルムＦの切り屑となる耳部ＦＥ位置が吸い込み口１２Ａを備えた吸引機構１２に達したことを検知する耳部検出センサ１４を設け、この耳部検出センサ１４の検出信号に基づいて吸引力を弱めるように設定してなるように構成している。
【００３７】
従って、充填包装機の初期の作動時に包装フィルムＦが繰り出されながら包装袋Ｐが製袋され、この包装袋Ｐの製袋工程と同期してトリミング機構１１によって切り屑となる耳部ＦＥが裁断されながら繰り出され、この繰り出された包装フィルムＦの耳部ＦＥが吸引機構１２の吸い込み口１２Ａから負圧を高めた状態にて吸い込まれる。そして帯状にカットされた切り屑となる耳部ＦＥは吸引機構１２の吸い込み口１２Ａに設けられた耳部検出センサ１４によって検出され、この検出信号に基づいて制御部１３を介して吸引機構１２による吸引力が弱められる。これにより前述した各実施形態とほぼ同様に吸い込みによる騒音を抑制することができる。
【００３８】
なお、包装フィルムＦの縦シール部ＦＨ位置に対して切断する箇所を幅方向に移動調節する調整機構をトリミング機構１１に設けたり、そのトリミング機構１１の設置位置を任意に選択したり、吸引機構１２の吸い込み口１２Ａの形状や大きさ、吸引力あるいはその取り付け位置などについては適宜に任意に設定すればよいものである。
【図面の簡単な説明】
【００３９】
【図１】本発明の第１実施形態の充填包装機の全体概要を示す正面図である。
【図２】図２は、図１の充填包装機における包装フィルムのトリミング処理装置およびその制御部を主体に示す正面図である。
【図３】図３は、本発明の第１実施形態における充填包装機によって製袋される包装フィルムの包装形態および包装フィルムの耳部のトリミング機構と吸引機構および制御部の概略を示す説明図である。
【図４】図４は、第１実施形態における充填包装機の包装フィルムの送りと制御部による吸引機構の動作タイミングを示した図である。
【図５】図５は、本発明の第２実施形態における充填包装機によって製袋される包装フィルムの包装形態および包装フィルムの耳部のトリミング機構と吸引機構および制御部の概略を示す説明図である。
【図６】図６は、図５の充填包装機における包装フィルムの耳部を吸引作動する吸引機構の制御構成を示す概要ブロック図である。
【図７】図７は、充填包装機によって製袋される包装フィルムの包装形態の実施態様例およびその包装フィルムの耳部のトリミング機構および吸引機構の概略を示す説明図である。
【図８】図８は、充填包装機によって製袋される包装フィルムの包装形態の他の実施態様例およびその包装フィルムの耳部のトリミング機構および吸引機構の概略を示す説明図である。
【図９】図９は、図７と図８との充填包装機における包装フィルムの耳部を吸引作動する吸引機構の制御構成を示す概要ブロック図である。
【符号の説明】
【００４０】
Ｆ      包装フィルム
ＦＥ      耳部
ＦＨ      縦シール部
ＦＳ      横シール部
Ｎ      開封用ノッチ
Ｐ      包装袋
Ｒ      フィルム巻反
Ｗ      被包装物
１      機台
２      保持枠
３      フィルム案内機構
４      フィルム折返し機構
５      縦シール機構
６      横シール機構
７      充填機構
８      ノッチ形成機構
９      スリッタ機構
１０      切断機構
１１      トリミング機構
１１Ａ    トリミング刃
１２      吸引機構
１２Ａ    吸い込み口
１３      制御部
１３Ａ    タイマー機構
１３Ｂ    カウンタ機能
１４      耳部検出センサ
【図１】
2005075397.tif 000003
【図２】
2005075397.tif 000004
【図３】
2005075397.tif 000005
【図４】
2005075397.tif 000006
【図５】
2005075397.tif 000007
【図６】
2005075397.tif 000008
【図７】
2005075397.tif 000009
【図８】
2005075397.tif 000010
【図９】
2005075397.tif 000011